(57)【要約】【課題】出荷・搬送・使用の各段階で従来品よりも使用感の優れた蓋付き容器の提供。【解決手段】合成樹脂製の可撓性シートからなり、略長方形状をなす底板部とその周縁から立設された側壁部とからなる容器本体と、該容器本体の側壁部上端縁にヒンジ部を介して連設され、前記容器本体の開口を塞ぐ略長方形状をなす蓋とからなる蓋付き容器において、前記蓋の短辺側の一辺と容器本体の側壁部上端縁のうち短辺側の一辺とがヒンジ部を介して連設されたことを特徴とする蓋付き容器。【選択図】図１
0003126472.tif 000002
【実用新案登録請求の範囲】
【請求項１】
合成樹脂製の可撓性シートからなり、略長方形状をなす底板部とその周縁から立設された側壁部とからなる容器本体と、該容器本体の側壁部上端縁にヒンジ部を介して連設され、前記容器本体の開口を塞ぐ略長方形状をなす蓋とからなる蓋付き容器において、
前記蓋の短辺側の一辺と容器本体の側壁部上端縁のうち短辺側の一辺とがヒンジ部を介して連設されたことを特徴とする蓋付き容器。
【請求項２】
前記容器本体の前記ヒンジ部と対向する側の側壁部上端縁に、前記蓋を閉める際に蓋の一部を嵌合する嵌合部が設けられたことを特徴とする請求項１に記載の蓋付き容器。
【請求項３】
前記ヒンジ部の両端及びその近傍に、切欠部が設けられたことを特徴とする請求項１又は２に記載の蓋付き容器。
【請求項４】
前記蓋は、その天面を下向きに開いた状態で物品を収容可能な収容部を有することを特徴とする請求項１〜３のいずれかに記載の蓋付き容器。
【請求項５】
前記容器本体と前記蓋とが、透明な二軸延伸ポリスチレン系樹脂シートを圧空成形してなるものであることを特徴とする請求項１〜４のいずれかに記載の蓋付き容器。
【考案の詳細な説明】
【技術分野】
【０００１】
本考案は、イチゴ、ミニトマト、サクランボなどの果実、野菜などの食品を入れて包装するための食品包装用容器（フードパック）等に好適な合成樹脂製の角形の蓋付き容器に関する。
【背景技術】
【０００２】
従来、イチゴ等の包装に好適な食品包装用容器としては、例えば、特許文献１に開示された容器が提案されている。特許文献１に開示されたイチゴ容器は、イチゴの果托が進入可能な窪み部を容器本体の底部に複数個設けた容器に蓋体を設け、蓋体の天井面よりこれらの窪み部中、相隣合う４つの窪み部に囲まれる箇所に向けて先細りの柱を垂下すると共に、蓋体の周側壁面にはこれらの窪み部の外周に沿って複数個の張り出し突起を内側に向けて設けたことを特徴としている。
【０００３】
また、特許文献２には、パックの底に下緩衝材を敷き前記下緩衝材の上に複数のイチゴを収納し、前記収納したイチゴの上に上緩衝材を敷き前記上緩衝材の上にイチゴを載せて収納し、前記上緩衝材のイチゴ上にシートを被せたことを特徴とするイチゴの収納方法が開示されている。
【０００４】
特許文献２に記載された収納方法では、イチゴを収納した複数のパックを段ボール箱に箱詰めしているため、収納・梱包作業に手間がかかり、また搬送後は不要となる段ボール箱が大量のゴミとなって廃棄されるために、その処理に手間とコストがかかり、天然資源の浪費となってしまう問題がある。
この問題を解消するものとして、特許文献３には、縦横に設けた桟によって複数の窓を形成してなる枠体に複数の中空錐体状支柱を立設し、前記中空錐体状支柱は前記枠体を貫通し、少なくとも枠体側端面が開口しており、同列方向においては前記枠体を挟んで交互に反対向きとなるように配設したことを特徴とする包装トレー保持枠が開示されている。この包装トレー保持枠は、イチゴのパック等を多段積みにして収納し、内容物を傷付けることなく搬送でき、また内容物を取り出した後は、保持枠をコンパクトに折り畳んで回収することができるため、段ボール箱の使用における前記問題を解消することができる。
【特許文献１】特開平８−１３３３６９号公報
【特許文献２】特開２００４−３０７０１５号公報
【特許文献３】特開２０００−６２７８１号公報
【考案の開示】
【考案が解決しようとする課題】
【０００５】
しかしながら、前述した特許文献３に記載された包装トレー保持枠を用いる際、これに特許文献１に記載されたイチゴ容器など、従来の角形包装容器を用いると、包装トレー保持枠の支柱が邪魔になって丁度良い大きさの容器を使用できず、やむなく一回り小型の容器を使用しなければならず、容器の内容量が減少してしまう問題がある。
また、特許文献１に記載されたイチゴ容器を含め、従来の蓋付き容器は、角形容器の長辺側に容器本体と蓋とを繋ぐヒンジ部を設けているため、ヒンジ部の弾性反発力が強く、蓋を開けても直ぐに容器本体開口に被さってしまい、従来の蓋付き容器にイチゴ等の内容物を入れ難く、また商品を購入した消費者が容器を使用する際にも、蓋を開けても直ぐに容器本体開口に被さってしまうために、使用感が悪いという問題がある。
【０００６】
本考案は、前記事情に鑑みてなされ、出荷・搬送・使用の各段階で従来品よりも使用感の優れた蓋付き容器の提供を目的とする。
【課題を解決するための手段】
【０００７】
前記目的を達成するため、本考案は、合成樹脂製の可撓性シートからなり、略長方形状をなす底板部とその周縁から立設された側壁部とからなる容器本体と、該容器本体の側壁部上端縁にヒンジ部を介して連設され、前記容器本体の開口を塞ぐ略長方形状をなす蓋とからなる蓋付き容器において、前記蓋の短辺側の一辺と容器本体の側壁部上端縁のうち短辺側の一辺とがヒンジ部を介して連設されたことを特徴とする蓋付き容器を提供する。
【０００８】
本考案の蓋付き容器において、前記容器本体の前記ヒンジ部と対向する側の側壁部上端縁に、前記蓋を閉める際に蓋の一部を嵌合する嵌合部が設けられていることが好ましい。
【０００９】
本考案の蓋付き容器において、前記ヒンジ部の両端及びその近傍に、切欠部が設けられていることが好ましい。
【００１０】
本考案の蓋付き容器において、前記蓋は、その天面を下向きに開いた状態で物品を収容可能な収容部を有していることが好ましい。
【００１１】
本考案の蓋付き容器において、前記容器本体と前記蓋とが、透明な二軸延伸ポリスチレン系樹脂シートを圧空成形してなるものであることが好ましい。
【考案の効果】
【００１２】
本考案の蓋付き容器は、蓋の短辺側の一辺と容器本体の側壁部上端縁のうち短辺側の一辺とがヒンジ部を介して連設された構成としたものなので、長辺側にヒンジ部を設けた場合と比べ、ヒンジ部が短くなると共に、蓋側の重心が容器本体から離れるために、蓋を開けた際に、蓋が容器本体開口側に戻りにくくなる。その結果、容器本体にイチゴ等の内容物を入れ、蓋を閉じる出荷作業時や、消費者が蓋を開けてその内容物を使用する時に、蓋が邪魔にならず、容器の利便性や使用感を向上させることができる。
また、ヒンジ部の両端及びその近傍に切欠部を設けることで、この蓋付き容器を、特許文献３に記載された包装トレー保持枠に収納する場合に、切欠部によって包装トレー保持枠の支柱が邪魔にならず、この包装トレー保持枠に丁度良い寸法の容器を使用できるので、無駄なスペースが少なくなり、輸送効率を向上できる。
また、ヒンジ部と対向する側の側壁部上端縁に、前記蓋を閉める際に蓋の一部を嵌合する嵌合部を設けたことによって、蓋を閉める操作が簡便且つ確実に実施でき、出荷作業時の能率向上や使用者の容器使用感の向上を図ることができる。
また、蓋の天面を下向きに開いた状態で、物品を収容可能な収容部を設けることで、この収容部にイチゴの果托や果実の果皮など、非可食部を入れるためのスペースとしたり、ミルク小容器等を置くためのスペースとして利用できる。特に、本考案の蓋付き容器は、蓋の短辺側の一辺と容器本体の側壁部上端縁のうち短辺側の一辺とがヒンジ部を介して連設された構成としたので、イチゴ等の入った容器本体をテーブル等の水平面に置き、且つ蓋を開けた状態で、蓋があまり傾斜せずに蓋先端が該水平面に設置するので、蓋の収容部に前記非可食部やミルク小容器等を安定して収容できる。
【考案を実施するための最良の形態】
【００１３】
以下、図面を参照して本考案の実施形態を説明する。
図１〜図３は、本考案の蓋付き容器の一実施形態を示す図であり、図１は本実施形態の蓋付き容器１の蓋を開いた状態の平面図、図２は蓋付き容器１の蓋を開いた状態の側面断面図、図３は蓋付き容器１の蓋を閉じた状態の側面断面図である。
これらの図中、符号１は蓋付き容器、２は容器本体、３は蓋、４はヒンジ部、５は底板部、６は側壁部、７は天面、８は蓋壁部、９は切欠部、１０は空気穴、１１は嵌合部、１２は通気溝部、１３は収容部である。
【００１４】
本実施形態の蓋付き容器１は、合成樹脂製の可撓性シートからなり、略長方形状をなす底板部５とその周縁から立設された側壁部６とからなる容器本体２と、該容器本体２の側壁部上端縁にヒンジ部４を介して連設され、容器本体２の開口を塞ぐ略長方形状をなす蓋３とからなり、蓋３の短辺側の一辺と容器本体２の側壁部上端縁のうち短辺側の一辺とがヒンジ部４を介して連設された構成になっている。
【００１５】
なお、前記「略長方形状」とは、完全な長方形状から角部が丸められて楕円形や長丸に近い長方形、或いは長方形の角部が切欠された長八角形までの各種の形状を含むものとする。本実施形態では、主に長方形の角部が丸くなったり、長方形の角部を切欠いた形状を指している。
【００１６】
この容器本体２、蓋３及びヒンジ４は、透明な合成樹脂シート、例えば、透明な二軸延伸ポリスチレン系樹脂シートを圧空成形してなる一体成形体であることが好ましい。透明な二軸延伸ポリスチレン系樹脂シートを用いることで、透明性、表面の美麗性、容器の強度、製造コストなどに優れた容器を提供できる。なお、蓋付き容器１を構成する樹脂材料は、この二軸延伸ポリスチレン系樹脂に限定されず、ポリエチレン系樹脂、ポリプロピレン系樹脂、ポリエチレンテレフタレート系樹脂などを用いることもできる。
【００１７】
本実施形態の蓋付き容器１において、容器本体２の、ヒンジ部４と対向する側の側壁部上端縁には、蓋３を閉める際に蓋３の一部を嵌合する嵌合部１１が設けられている。
【００１８】
本実施形態の蓋付き容器１において、ヒンジ部４の両端及びその近傍に、切欠部９が設けられている。
【００１９】
本実施形態の蓋付き容器１において、蓋３は、略長方形状の天面７とその周縁からなだらかに垂下した蓋壁部８とからなっている。このように蓋３を略ドーム状に形成することで、その内側の凹状スペースは、天面７を下向きに開いた状態で物品を収容可能な収容部１３となる。
【００２０】
本実施形態の蓋付き容器１において、蓋３の天面７には、複数の空気穴１０が穿設され、また蓋３の周縁部には、周方向に沿って複数の通気溝部１２がそれぞれ離間して設けられている。これらの通気溝部１２は、蓋３の周縁部の一部を上部側に膨出させてなり、蓋３を容器本体２開口に被せて閉じた際に、容器本体２の側壁部上端縁と蓋３の周縁とが、この通気溝部１２のみが離間し、他部が密接する状態となるように形成されている。蓋３に、これらの空気穴１０及び通気溝部１２を設けたことによって、容器本体２内にイチゴやサクランボなどの農産物を入れ、蓋３を閉めた包装形態において、容器内空間と外気とのガス（空気や水蒸気）の流通を確保し、内容物の乾燥又は過湿を防ぎ、内容物の品質を保持するために有効である。
【００２１】
本実施形態の蓋付き容器１は、蓋３の短辺側の一辺と容器本体２の側壁部上端縁のうち短辺側の一辺とがヒンジ部４を介して連設された構成としたものなので、長辺側にヒンジ部４を設けた場合と比べ、ヒンジ部４が短くなると共に、蓋３側の重心が容器本体２から離れるために、蓋３を開けた際に、蓋３が容器本体２開口側に戻りにくくなる。その結果、容器本体２にイチゴ等の内容物を入れ、蓋を閉じる出荷作業時や、消費者が蓋３を開けてその内容物を使用する時に、蓋３が邪魔にならず、容器の利便性や使用感を向上させることができる。
【００２２】
また、ヒンジ部４の両端及びその近傍に切欠部１１を設けることで、この蓋付き容器１を、特許文献３に記載された包装トレー保持枠に収納する場合に、切欠部１１によって包装トレー保持枠の支柱が邪魔にならず、この包装トレー保持枠に丁度良い寸法の容器を使用できるので、無駄なスペースが少なくなり、輸送効率を向上できる。
【００２３】
また、ヒンジ部４と対向する側の側壁部６上端縁に、蓋３を閉める際に蓋３の一部を嵌合する嵌合部１１を設けたことによって、蓋３を閉める操作が簡便且つ確実に実施でき、出荷作業時の能率向上や使用者の容器使用感の向上を図ることができる。
【００２４】
また、蓋３の天面７を下向きに開いた状態で、物品を収容可能な収容部１３を設けることで、この収容部１３にイチゴの果托や果実の果皮など、非可食部を入れるためのスペースとしたり、ミルク小容器等を置くためのスペースとして利用できる。特に、この蓋付き容器１は、蓋３の短辺側の一辺と容器本体２の側壁部上端縁のうち短辺側の一辺とがヒンジ部４を介して連設された構成としたので、イチゴ等の入った容器本体２をテーブル等の水平面に置き、且つ蓋３を開けた状態で（図２参照）、蓋３があまり傾斜せずに蓋先端が該水平面に設置するので、蓋３の収容部１３に前記非可食部やミルク小容器等を安定して収容できる。
【図面の簡単な説明】
【００２５】
【図１】本考案の蓋付き容器の一実施形態を示す平面図である。
【図２】本考案の蓋付き容器の一実施形態を示す側面断面図である。
【図３】本考案の蓋付き容器の一実施形態を示す側面断面図である。
【符号の説明】
【００２６】
１…蓋付き容器、２…容器本体、３…蓋、４…ヒンジ部、５…底板部、６…側壁部、７…天面、８…蓋壁部、９…切欠部、１０…空気穴、１１…嵌合部、１２…通気溝部、１３…収容部。
【図１】
0003126472.tif 000003
【図２】
0003126472.tif 000004
【図３】
0003126472.tif 000005